(57)【要約】【課題】グループ通信中の移動局に対して新たなグループ通信を設定した場合は、移動局にて新たなグループ通信を行うか否かを選択する。【解決手段】グループ通信が行われているときに、新たなグループ通信の設定要求があった場合、回線制御装置１２は新たなグループ通信を行うグループの識別情報を含むグループ通信呼出し信号を生成させる。無線基地局１３１〜１３ｎは、新たなグループ通信を行うグループの識別情報を含むグループ通信呼出し信号を制御チャネルのＰＣＨと通信チャネルのＡＣＣＨの両方で配信する。移動局２は、通話チャネルのＡＣＣＨにて新たなグループ通信呼出しの情報を受信し、そのグループ通信情報を文字等で確認する。そして、移動局は新たなグループ通信を行うか否かを、受信したグループ通信呼出し信号に含まれるグループの識別情報に基づいて自動的に選択することができる。【選択図】図１
2009302605.tif 000002
【特許請求の範囲】
【請求項１】
複数の無線基地局を有する統制局が、前記複数の無線基地局のうちの２以上の無線基地局と複数の移動局との間の無線回線を用いてグループ通信を行うグループ通信方法において、
前記統制局と前記複数の移動局とのグループ通信中において、前記統制局に対して新たなグループ通信設定要求があったときは、グループ通信呼出し信号を生成する信号生成ステップと、
生成された前記グループの識別情報を含むグループ通信呼出し信号を、制御チャネルの一斉呼出チャネル及び通信チャネルの付随制御チャネルの両方で、前記複数の無線基地局のそれぞれから前記複数の移動局へ送信するグループ通信呼出し信号送信ステップと、
前記グループ通信呼出し信号を受信した、現在グループ通信中の複数の前記移動局のそれぞれにおいて、受信した前記グループ通信呼出し信号による新たなグループ通信を現在のグループ通信に替えて行うか否かを、受信した前記グループ通信呼出し信号に含まれるグループの識別情報に基づいて選択する選択ステップと、
前記選択ステップで前記グループ通信呼出し信号による新たなグループ通信を、現在のグループ通信に替えて行うことを選択したときに、前記統制局と前記移動局との間で通話チャネルを切り替えて新たなグループ通信を行うステップと
を含むことを特徴とするグループ通信方法。
【請求項２】
複数の無線基地局を有する統制局が、前記複数の無線基地局のうちの２以上の無線基地局と複数の移動局との間の無線回線を用いてグループ通信を行うグループ通信方法において、
前記統制局と前記複数の移動局とのグループ通信中において、前記統制局に対して新たなグループ通信設定要求があったときは、そのグループ通信設定要求で新たなグループ通信を行うグループの識別情報を含むグループ通信呼出し信号を生成する信号生成ステップと、
生成された前記グループの識別情報を含むグループ通信呼出し信号を、制御チャネルの一斉呼出チャネル及び通信チャネルの付随制御チャネルの両方で、前記複数の無線基地局のそれぞれから前記複数の移動局へ送信するグループ通信呼出し信号送信ステップと、
前記グループ通信呼出し信号を受信した、現在グループ通信中の複数の前記移動局のそれぞれにおいて、受信した前記グループ通信呼出し信号に含まれる前記グループの識別情報に基づき、自端末が前記新たなグループ通信設定要求のグループに属するか否かを判定する判定ステップと、
前記判定ステップで自端末が前記新たなグループ通信設定要求のグループに属すると判定したときに、その移動局と前記統制局との間で通話チャネルを切り替えて新たなグループ通信を行うステップと
を含むことを特徴とするグループ通信方法。
【請求項３】
複数の無線基地局を有する統制局が、前記複数の無線基地局のうちの２以上の無線基地局と複数の移動局との間の無線回線を用いてグループ通信を行うグループ通信方法において、
前記統制局と前記複数の移動局とのグループ通信中において、前記統制局に対して新たなグループ通信設定要求があったときは、そのグループ通信設定要求で新たなグループ通信を行うグループの識別情報を含むグループ通信呼出し信号を生成する信号生成ステップと、
生成された前記グループの識別情報を含むグループ通信呼出し信号を、制御チャネルの一斉呼出チャネル及び通信チャネルの付随制御チャネルの両方で、前記複数の無線基地局のそれぞれから前記複数の移動局へ送信するグループ通信呼出し信号送信ステップと、
前記グループ通信呼出し信号を受信した、現在グループ通信中の複数の前記移動局のそれぞれにおいて、受信した前記グループ通信呼出し信号に含まれる前記グループの識別情報により示される新たなグループ通信を行うグループが、現在グループ通信中のグループより優先度が高いか否かを自端末に予め記憶されているグループの優先度に基づき判定する判定ステップと、
新たなグループ通信を行うグループが、現在グループ通信中のグループより優先度が高いと前記判定ステップで判定した移動局と前記統制局との間で通話チャネルを切り替えて新たなグループ通信を行うステップと
を含み、前記判定ステップで新たなグループ通信を行うグループが、現在グループ通信中のグループより優先度が同じか低いと判定したときには、現在のグループ通信を継続することを特徴とするグループ通信方法。
【請求項４】
前記統制局は、マンマシンインタフェースのための統制台と、前記複数の無線基地局と、前記統制台と前記複数の無線基地局との間に接続され、音声信号と制御信号とを前記複数の無線基地局のそれぞれと送受信する送受信部とを備えた回線制御装置とよりなることを特徴とする請求項１乃至３のうちいずれか一項記載のグループ通信方法。
【請求項５】
前記無線基地局は、前記回線制御装置から音声信号として入力された前記グループの識別情報を含むグループ通信呼出し信号を、制御チャネルの一斉呼出チャネルで無線送信し、前記回線制御装置から制御信号として入力された前記グループの識別情報を含むグループ通信呼出し信号を、通信チャネルの付随制御チャネルで無線送信する信号処理を行うことを特徴とする請求項１乃至４のうちいずれか一項記載のグループ通信方法。
【請求項６】
複数の無線基地局を有する統制局が、前記複数の無線基地局のうちの２以上の無線基地局と複数の移動局との間の無線回線を用いてグループ通信を行うグループ通信システムにおいて、
前記統制局は、
前記複数の移動局とのグループ通信中において、前記統制局に対して新たなグループ通信設定要求があったときは、グループ通信呼出し信号を生成する信号生成手段と、
生成された前記グループの識別情報を含むグループ通信呼出し信号を、制御チャネルの一斉呼出チャネル及び通信チャネルの付随制御チャネルの両方で、前記複数の無線基地局のそれぞれから前記複数の移動局へ送信するグループ通信呼出し信号送信手段と、
前記移動局との間で通話チャネルを切り替えて新たなグループ通信を行う通話路切替手段とを備え、
現在グループ通信中の前記移動局は、
前記統制局より送信されたグループ通信呼出し信号を受信し、受信した前記グループ通信呼出し信号による新たなグループ通信を現在のグループ通信に替えて行うか否かを、受信した前記グループ通信呼出し信号に含まれるグループの識別情報に基づいて選択する受信・選択手段と、
前記受信・選択手段で前記グループ通信呼出し信号による新たなグループ通信を、現在のグループ通信に替えて行うことを選択したときに、前記統制局との間で通話チャネルを切り替えて新たなグループ通信を行うことを特徴とするグループ通信システム。
【請求項７】
複数の無線基地局を有する統制局が、前記複数の無線基地局のうちの２以上の無線基地局と複数の移動局との間の無線回線を用いてグループ通信を行うグループ通信システムにおいて、
前記統制局は、
前記複数の移動局とのグループ通信中において、前記統制局に対して新たなグループ通信設定要求があったときは、そのグループ通信設定要求で新たなグループ通信を行うグループの識別情報を含むグループ通信呼出し信号を生成する信号生成手段と、
生成された前記グループの識別情報を含むグループ通信呼出し信号を、制御チャネルの一斉呼出チャネル及び通信チャネルの付随制御チャネルの両方で、前記複数の無線基地局のそれぞれから前記複数の移動局へ送信するグループ通信呼出し信号送信手段と、
前記移動局との間で通話チャネルを切り替えて新たなグループ通信を行う通話路切替手段とを備え、
現在グループ通信中の前記移動局は、
前記統制局より送信されたグループ通信呼出し信号を受信し、そのグループ通信呼出し信号に含まれる前記グループの識別情報に基づき、自端末が前記新たなグループ通信設定要求のグループに属するか否かを判定する判定手段と、
前記判定手段で自端末が前記新たなグループ通信設定要求のグループに属すると判定したときに、前記統制局との間で通話チャネルを切り替えて新たなグループ通信を行う切替手段と
を有することを特徴とするグループ通信システム。
【請求項８】
複数の無線基地局を有する統制局が、前記複数の無線基地局のうちの２以上の無線基地局と複数の移動局との間の無線回線を用いてグループ通信を行うグループ通信システムにおいて、
前記統制局は、
前記複数の移動局とのグループ通信中において、前記統制局に対して新たなグループ通信設定要求があったときは、そのグループ通信設定要求で新たなグループ通信を行うグループの識別情報を含むグループ通信呼出し信号を生成する信号生成手段と、
生成された前記グループの識別情報を含むグループ通信呼出し信号を、制御チャネルの一斉呼出チャネル及び通信チャネルの付随制御チャネルの両方で、前記複数の無線基地局のそれぞれから前記複数の移動局へ送信するグループ通信呼出し信号送信手段と、
前記移動局との間で通話チャネルを切り替えて新たなグループ通信を行う通話路切替手段とを備え、
現在グループ通信中の前記移動局は、
前記グループ通信呼出し信号を受信し、そのグループ通信呼出し信号に含まれる前記グループの識別情報により示される新たなグループ通信を行うグループが、現在グループ通信中のグループより優先度が高いか否かを自端末に予め記憶されているグループの優先度に基づき判定する判定手段と、
新たなグループ通信を行うグループが、現在グループ通信中のグループより優先度が高いと前記判定手段で判定したときのみ、前記統制局との間で通話チャネルを切り替えて新たなグループ通信を行う切替手段とを備え、
前記現在グループ通信中の前記移動局が、前記判定手段で新たなグループ通信を行うグループが、現在グループ通信中のグループより優先度が同じか低いと判定したときには、現在のグループ通信を継続することを特徴とするグループ通信システム。
【請求項９】
前記統制局は、マンマシンインタフェースのための統制台と、前記複数の無線基地局と、前記統制台と前記複数の無線基地局との間に接続され、音声信号と制御信号とを前記複数の無線基地局のそれぞれと送受信する送受信部とを備えた回線制御装置とよりなることを特徴とする請求項６乃至８のうちいずれか一項記載のグループ通信システム。
【請求項１０】
前記無線基地局は、前記回線制御装置から音声信号として入力された前記グループの識別情報を含むグループ通信呼出し信号を、制御チャネルの一斉呼出チャネルで無線送信し、前記回線制御装置から制御信号として入力された前記グループの識別情報を含むグループ通信呼出し信号を、通信チャネルの付随制御チャネルで無線送信する信号処理を行うことを特徴とする請求項６乃至９のうちいずれか一項記載のグループ通信システム。
【請求項１１】
複数の無線基地局を有する統制局との間で無線回線を用いてグループ通信を行う移動局において、
グループ通信中に、前記統制局から制御チャネルの一斉呼出チャネル及び通信チャネルの付随制御チャネルの両方で送信されたグループ通信呼出し信号を受信するグループ通信呼出し信号受信手段と、
受信した前記グループ通信呼出し信号に含まれるグループの識別情報に基づき、その新たなグループ通信を現在のグループ通信に替えて行うか否かを選択する選択手段と、
前記グループ通信呼出し信号による新たなグループ通信を、現在のグループ通信に替えて行うことを前記選択手段により選択したときは、前記統制局との間で通話チャネルを切り替えて新たなグループ通信を行うことを特徴とする移動局。
【請求項１２】
複数の無線基地局を有する統制局との間で無線回線を用いてグループ通信を行う移動局において、
グループ通信中に、前記統制局から制御チャネルの一斉呼出チャネル及び通信チャネルの付随制御チャネルの両方で送信された新たなグループ通信を行うグループの識別情報を含むグループ通信呼出し信号を受信するグループ通信呼出し信号受信手段と、
受信した前記グループ通信呼出し信号に含まれる前記グループの識別情報に基づき、自端末が前記新たなグループ通信設定要求のグループに属するか否かを判定する判定手段と、
前記判定手段で自端末が前記新たなグループ通信設定要求のグループに属すると判定したときに、前記統制局との間で通話チャネルを切り替えて新たなグループ通信を行う切替手段と
を有することを特徴とする移動局。
【請求項１３】
複数の無線基地局を有する統制局との間で無線回線を用いてグループ通信を行う移動局において、
グループ通信中に、前記統制局から制御チャネルの一斉呼出チャネル及び通信チャネルの付随制御チャネルの両方で送信された新たなグループ通信を行うグループの識別情報を含むグループ通信呼出し信号を受信するグループ通信呼出し信号受信手段と、
自端末が属する２以上のグループの通信の優先度が予め記憶されている記憶部と、
受信した前記グループ通信呼出し信号に含まれる前記グループの識別情報により示される新たなグループ通信を行うグループが、現在グループ通信中のグループより優先度が高いか否かを、前記記憶部に予め記憶されているグループの優先度に基づき判定する判定手段と、
新たなグループ通信を行うグループが、現在グループ通信中のグループより優先度が高いと前記判定手段で判定したときのみ、前記統制局との間で通話チャネルを切り替えて新たなグループ通信を行う切替手段と
を有し、前記判定手段で新たなグループ通信を行うグループが、現在グループ通信中のグループより優先度が同じか低いと判定したときには、現在のグループ通信を継続することを特徴とする移動局。
【請求項１４】
前記付随制御チャネルで前記グループ通信呼出し信号を受信し、そのグループ通信呼出し信号に含まれる新たなグループ通信を行うグループの識別情報を表示する表示手段を有することを特徴とする請求項１１乃至１３のうちいずれか一項記載の移動局。
【発明の詳細な説明】
【技術分野】
【０００１】
本発明はグループ通信方法及びグループ通信システム並びにそれに用いる移動局に係り、特に通信チャネルにて複数の移動局にグループ通信を行わせるグループ通信方法及びグループ通信システム並びにそれに用いる移動局に関する。
【背景技術】
【０００２】
移動体通信システムでは、無線基地局と移動局との間の無線回線において、通信チャネル及び制御チャネルを有するマルチチャネルアクセス方式に基づいて、統制台が無線基地局を介して複数台の移動局と通信する１対ｎの通信形態である所謂グループ通信が可能である。このグループ通信を行う移動体通信システム（以下、グループ通信システムともいう）では、システム内で新たなグループ通信設定が発生した場合、無線基地局は制御チャネルの一斉呼び出しチャネル（ＰＣＨ）にて、待受け中の移動局に対してグループ通信の接続要求がある旨のグループ通信呼び出し信号を送信する。しかしながら、グループ通信中の移動局は、通信チャネルで通信を行っているため、制御チャネルにて送信されてくるグループ通信呼び出し信号は受信できない。
【０００３】
そこで、回線制御装置がグループ通信の接続要求がある旨の通知を通信チャネルで無線基地局を通して通信中の移動局に対して送信し、既に通信チャネルで通信動作を行っている当該グループに属する移動局をグループ通信に引き込み、既に通信中の移動局の呼を、移動局がグループ通信に接続されている間保留とするグループ通信の呼び出し装置が知られている(例えば、特許文献１参照)。
【０００４】
【特許文献１】特開平１０−４１８８４号公報
【発明の開示】
【発明が解決しようとする課題】
【０００５】
しかしながら、特許文献１記載のグループ通信の呼び出し装置では、先行グループ通信中の移動局が、後発グループ通信に自動的に引き込まれ、先行グループ通信を保留する構成であり、どちらのグループ通信を選択させるかの手段を持たない。このため、特許文献１記載のグループ通信の呼び出し装置では、後発グループ通信よりも先行グループ通信の方が優先度の高い通信であった場合でも、優先度の高い先行グループ通信を一旦中断して、後発グループ通信が終了するまで通信を待たねばならず、また、所望の移動局が属するグループのグループ通信のみを選択することができない。
【０００６】
本発明は以上の点に鑑みなされたもので、グループ通信中の移動局に対して新たなグループ通信を設定した場合は、移動局にて新たなグループ通信を行うか否かを選択し得るグループ通信方法及びグループ通信システム並びにそれに用いる移動局を提供することを目的とする。
【課題を解決するための手段】
【０００７】
上記の目的を達成するため、本発明のグループ通信方法は、複数の無線基地局を有する統制局が、複数の無線基地局のうちの２以上の無線基地局と複数の移動局との間の無線回線を用いてグループ通信を行うグループ通信方法において、統制局と複数の移動局とのグループ通信中において、統制局に対して新たなグループ通信設定要求があったときは、グループ通信呼出し信号を生成する信号生成ステップと、生成されたグループの識別情報を含むグループ通信呼出し信号を、制御チャネルの一斉呼出チャネル及び通信チャネルの付随制御チャネルの両方で、複数の無線基地局のそれぞれから複数の移動局へ送信するグループ通信呼出し信号送信ステップと、グループ通信呼出し信号を受信した、現在グループ通信中の複数の移動局のそれぞれにおいて、受信したグループ通信呼出し信号による新たなグループ通信を、現在のグループ通信に替えて行うか否かを選択する選択ステップと、選択ステップでグループ通信呼出し信号による新たなグループ通信を、現在のグループ通信に替えて行うことを選択したときに、統制局と移動局との間で通話チャネルを切り替えて新たなグループ通信を行うステップとを含むことを特徴とする。
【０００８】
また、上記の目的を達成するため、本発明のグループ通信システムは、複数の無線基地局を有する統制局が、複数の無線基地局のうちの２以上の無線基地局と複数の移動局との間の無線回線を用いてグループ通信を行うグループ通信システムにおいて、
上記の統制局は、複数の移動局とのグループ通信中において、統制局に対して新たなグループ通信設定要求があったときは、グループ通信呼出し信号を生成する信号生成手段と、生成されたグループの識別情報を含むグループ通信呼出し信号を、制御チャネルの一斉呼出チャネル及び通信チャネルの付随制御チャネルの両方で、複数の無線基地局のそれぞれから複数の移動局へ送信するグループ通信呼出し信号送信手段と、移動局との間で通話チャネルを切り替えて新たなグループ通信を行う通話路切替手段とを備え、
上記の現在グループ通信中の移動局は、統制局より送信されたグループ通信呼出し信号を受信し、受信したグループ通信呼出し信号による新たなグループ通信を、現在のグループ通信に替えて行うか否かを選択する受信・選択手段と、受信・選択手段でグループ通信呼出し信号による新たなグループ通信を、現在のグループ通信に替えて行うことを選択したときに、統制局との間で通話チャネルを切り替えて新たなグループ通信を行うことを特徴とする。
【０００９】
更に、上記の目的を達成するため、本発明の移動局は、複数の無線基地局を有する統制局との間で無線回線を用いてグループ通信を行う移動局において、グループ通信中に、統制局から制御チャネルの一斉呼出チャネル及び通信チャネルの付随制御チャネルの両方で送信されたグループ通信呼出し信号を受信するグループ通信呼出し信号受信手段と、受信したグループ通信呼出し信号に含まれるグループの識別情報に基づき、その新たなグループ通信を、現在のグループ通信に替えて行うか否かを選択する選択手段と、グループ通信呼出し信号による新たなグループ通信を、現在のグループ通信に替えて行うことを選択手段により選択したときは、統制局との間で通話チャネルを切り替えて新たなグループ通信を行うことを特徴とする。
【発明の効果】
【００１０】
本発明によれば、グループ通信中の移動局に対して新たなグループ通信を設定した場合は、移動局にて新たなグループ通信を行うか否かを、受信したグループ通信呼出し信号に含まれるグループの識別情報に基づいて選択することができる。
【発明を実施するための最良の形態】
【００１１】
次に、本発明の実施形態について図面を参照して詳細に説明する。
【００１２】
図１は、本発明になるグループ通信システムの一実施形態のシステム構成図、図２は、図１中の回線制御装置の一例のブロック図、図３は、図１中の無線基地局の一例のブロック図、図４は、本発明の移動局の一実施形態のブロック図を示す。
【００１３】
図１において、グループ通信システムは、統制局１とｍ台(ｍは２以上の自然数)の移動局２１〜２ｍとからなり、統制局１と移動局２１〜２ｍとが通信チャネルであるＡＣＣＨ（付随制御チャネル）及び制御チャネルであるＰＣＨ（一斉呼出チャネル）を用いた時分割多元接続（ＴＤＭＡ：Time Division Multiple Access）方式による１対ｎ通信形式のグループ通信を行う。
【００１４】
統制局１は、統制台１１、回線制御装置１２、ｎ台(ｎは２以上の自然数)の無線基地局１３１〜１３ｎとからなる。統制台１１は、マンマシンインタフェースのための装置で、任意のグループを対象としたグループ通信の発呼要求を行う。なお、グループ通信による発呼要求は、移動局２１〜２ｍのいずれかからの要求により行われることもある。回線制御装置１２は、無線回線全体を制御する。無線基地局１３１〜１３ｎは、移動局２１〜２ｍのうち、自己の無線通信可能なエリアに在圏する移動局との間で無線回線を構築して無線通信する。移動局２１〜２ｍのそれぞれは、最寄りの１台の無線基地局との間でのみ無線通信する。
【００１５】
回線制御装置１２は、図２のブロック図に示すように、統制台１からの発呼要求を受信する受信部１２１と、グループ通信に必要な通話路を形成するための通話路スイッチ１２２と、音声処理部１２３と、音声処理部１２３に接続された音声信号送受信部１２４と、この回線制御装置１２の全体を統括的に制御する制御部１２５と、制御信号処理部１２６と、制御信号処理部に接続された制御信号送受信部１２７とより構成されている。
【００１６】
また、図１の無線基地局１３１〜１３ｎは、それぞれ同一構成であり、例えば図３のブロック図に示す構成とされている。図３において、無線基地局１３（図１の１３１〜１３ｎのいずれか）は、回線制御装置１２との間で音声信号と制御信号を送受信するインタフェース１３１と、信号処理部１３２と、無線部１３３と、制御部１３４と、送受信アンテナ１３５とより構成されている。
【００１７】
信号処理部１３２は、インタフェース１３１の出力音声信号に対して、制御チャネルのＰＣＨ（一斉呼出チャネル）と、通信チャネルのＡＣＣＨ（付随制御チャネル）でグループ通信の情報の配信を行うための信号処理や、受信した通信チャネルの音声信号の処理を行う。無線部１３３は、送受信アンテナ１３５を介して最寄りの移動局との間でＰＣＨやＡＣＣＨを用いたＴＤＭＡ方式による無線通信を行う。制御部１３４は、インタフェース１３１から出力された制御信号が供給され、また、移動局２からの受信信号中の制御信号が供給されて、この無線基地局１３の全体を統括的に制御する。
【００１８】
また、図１の移動局２１〜２ｍは、それぞれ同一構成であり、例えば図４のブロック図に示す構成とされている。図４において、移動局２（図１の２１〜２ｍのいずれか）は、送受信アンテナ２０と、移動局２を統括的に制御する制御部２１と、テンキーなどの入力部２２と、プログラムや電話帳データなどを記憶している記憶部２３と、送受信アンテナ２０を介して最寄りの無線基地局１３１〜１３ｎのいずれかとの間で無線通信する無線部２４と、信号処理部２５と、音声処理部２６と、音声入出力部２７と、表示駆動部２８と、表示部２９とを有した構成とされている。
【００１９】
信号処理部２５は、制御部２１からのダイヤル信号や文字データ又は音声処理部２６からの音声入出力部２７により得られた送話音声信号に対して所定の信号処理を行い、無線部２４へ送信信号として供給する。また、信号処理部２５は、無線部２４で受信した信号に対して所定の信号処理を行って得られた文字データやグループ通信の情報を制御部２１へ出力し、また、受話音声信号を音声処理部２６を介して音声入出力部２７へ供給する。
【００２０】
音声入出力部２７は、送話音声信号を音響−電気変換するマイクロフォンと、受話音声信号を電気−音響変換して発音するスピーカとからなる。音声処理部２６は、音声入出力部２７内のマイクロフォンからの送話音声信号に対して所定の音声処理を行って信号処理部２５へ供給し、また、信号処理部２５からの受話音声信号に対して所定の音声処理を行って音声入出力部２７内のスピーカへ出力する。表示駆動部２８は、制御部２１からの表示信号に対して所定の公知の表示処理を行って表示部２９に表示させる。
【００２１】
上記の構成の移動局２は、記憶部２３に記憶されたプログラムとグループ通信に関する情報とに基づいて、制御部２１がグループ通信中に新たに要求された別のグループ通信の情報に基づいて、その新たに要求されたグループ通信を行うか否かを選択する処理を行い、更にその選択結果に基づいて、現在通信中のグループ通信を継続するか、又は新たに要求されたグループ通信に切り替える点に特徴がある。
【００２２】
上記のグループ通信に関する情報としては、その移動局が参入するグループやグループの通信の優先順位（優先度）などがある。すなわち、移動局２（２１〜２ｍ）は、多数存在するグループのうちの任意の複数のグループに所属することができる。上記の多数のグループとしては、例えば防災無線で小学校に設置された移動局の場合は、（i）小学校グループ、（ii）学校グループ、（iii）地区グループ、（iv）避難場所グループなどがある。ここで、上記の新たに要求されたグループ通信を行うか否かを選択する処理として２種類の処理があり、それぞれについて以下、第１の実施形態、第２の実施形態として説明する。
【００２３】
（第１の実施形態）
次に、本発明の第１の実施形態の動作について、上記の図１〜図４と図５のシーケンス図と共に説明する。いま、統制台１１と移動局２１〜２ｍのうちのいずれか複数の移動局２ａ〜２ｇとの間でグループ通信が行われているものとする（図５のステップＳ１）。このグループ通信中に統制台１１から新たなグループ通信の設定要求が回線制御装置１２にあったものとする（図５のステップＳ２）。
【００２４】
すると、図２の構成の回線制御装置１２は、制御部１２５が受信部１２１を介して新たなグループ通信の設定要求を受信し、制御信号処理部１２７により制御チャネルに、新たなグループ通信を行うグループの識別情報を含むグループ通信呼出し信号を生成させて、制御信号送受信部１２８を介して無線基地局１３１〜１３ｎへ出力させると同時に、音声処理部１２３により通話チャネルに、新たなグループ通信を行うグループの識別情報を含むグループ通信呼出し信号を生成させて、音声信号送受信部１２４を介して無線基地局１３１〜１３ｎへ出力させる（図５のステップＳ３）。ここで、図５のステップＳ３の「グループ通信の情報配信設定」とは、上記の制御チャネルと通話チャネルのそれぞれで生成された、新たなグループ通信を行うグループの識別情報を含むグループ通信呼出し信号の無線基地局１３１〜１３ｎへの出力を意味する。
【００２５】
図３の構成の無線基地局１３１〜１３ｎは、インタフェース１３１を通して上記の制御チャネルの制御信号として入力された新たなグループ通信を行うグループの識別情報を含むグループ通信呼出し信号を制御部１３４に供給すると共に、上記の通話チャネルの音声信号として入力された新たなグループ通信を行うグループの識別情報を含むグループ通信呼出し信号を信号処理部１３２に供給する。
【００２６】
これにより、無線部１３３は、統制局１の配下のすべての移動局２１〜２ｍのうち、無線基地局１３の通信エリアに在圏する移動局に対して、制御部１３４からの信号に基づいて制御チャネルのＰＣＨでグループ通信呼出しの情報を生成して送受信アンテナ１３５を通して配信すると共に、信号処理部１３２からの信号に基づいて通信チャネルのＡＣＣＨでも、グループ通信呼出しの情報を生成して送受信アンテナ１３５を通して配信する（図５のステップＳ４、Ｓ５）。これにより、移動局２１〜２ｍのうちの現在グループ通信中の移動局２ａ〜２ｇにおいても、通話チャネルのＡＣＣＨにて新たなグループ通信呼出しの情報が受信され、そのグループ通信情報を文字等で確認することができる（図５のステップＳ６）。
【００２７】
続いて、現在グループ通信中の移動局２ａ〜２ｇ中の図４に示した各制御部２１は、受信した上記のグループ通信呼出しの情報に含まれる、新たにグループ通信を行おうとするグループの識別情報と、記憶部２３に記憶されている自局のグループの識別情報とが一致するかどうかを比較する（図５のステップＳ７）。
【００２８】
一致する場合は、制御部２１は、通話チャネルを現在グループ通信中の通話チャネルから、受信した上記のグループ通信呼出しの情報に含まれる、新たにグループ通信を行う通話チャネルに切り替える（図５のステップＳ８）。
【００２９】
これにより、以後、ステップＳ７で一致の比較結果が得られた移動局は、それまでグループ通信中であった通話チャネルから新たにグループ通信を行う通話チャネルに移行し、当該新たに要求されたグループ通信を行うグループに属する他の移動局と共に、既に通話路スイッチ１２２でグループ通信用に設定された通話路に対応する通信チャネルでグループ通信が開始される（図５のステップＳ１１）。なお、ステップＳ７で不一致の比較結果が得られた場合は、その移動局は、現在通信中のグループ通信をそのまま継続する（図５のステップＳ１２）。
【００３０】
従って、例えば移動局２ａが移動局２ｂ、２ｃ、２ｄからなるグループＡと、移動局２ｅ、２ｆ、２ｇからなるグループＢとに属しており、移動局２ａがグループＡに所属する各移動局２ｂ、２ｃ、２ｄと共にグループ通信をしている場合に、グループＢのグループ通信の新たな設定があった場合は、新たなグループ通信要求のあったグループＢに所属する移動局２ｅ、２ｆ、２ｇと共にグループＢのグループ通信に移行する。このとき、グループＡのグループ通信は、移動局２ａが離脱するだけで、移動局２ｅ、２ｆ、２ｇとの間でグループＡのグループ通信が継続して行われる。この場合、統制局１は、グループＡとグループＢとでどの移動局が受信局になっているかを知る必要はなく、グループＡは継続されるので、保留音を出す必要もない。
【００３１】
このように、本実施形態では、移動局にて新たなグループ通信を行うか否かを、受信したグループ通信呼出し信号に含まれるグループの識別情報に基づいて自動的に選択することができる。すなわち、本実施形態では、グループ通信中の移動局２ａ〜２ｇに対して新たなグループ通信の要求があった場合は、自動的に新たなグループ通信に参入するのではなく、グループ通信呼出し信号に含まれるグループの識別情報に基づいて、移動局２ａ〜２ｂが自身が所属するグループのグループ通信のみ選択して参入するので、それまで行っていたグループ通信を無駄に保留状態とすることがなく、実用的なグループ通信が行える。
【００３２】
（第２の実施形態）
次に、本発明の第２の実施形態の動作について、上記の図１〜図４と図６のシーケンス図と共に説明する。図６中、図５と同一のステップには同一の符号を付してある。本実施形態では、図４に示した移動局２（２１〜２ｍ）の記憶部２３には、自端末が属する２以上のグループの通信の優先度が予め記憶されている。
【００３３】
いま、統制台１１と移動局２１〜２ｍのうちのいずれか複数の移動局２ａ〜２ｇとの間でグループ通信が行われているものとする（図６のステップＳ１）。このグループ通信中に統制台１１から新たなグループ通信の設定要求が回線制御装置１２にあったものとする（図６のステップＳ２）。
【００３４】
すると、以後、第１の実施形態と同様に、回線制御装置１２から無線基地局１３１〜１３ｎに対してグループ通信の情報配信設定がなされ（図６のステップＳ３）、無線基地局１３１〜１３ｎ内の無線部１３３は、制御チャネルのＰＣＨと通信チャネルのＡＣＣＨでグループ通信呼出しの情報を生成して送受信アンテナ１３５を通して配信する（図６のステップＳ４、Ｓ５）。これにより、移動局２１〜２ｍのうちの現在グループ通信中の移動局２ａ〜２ｇにおいても、通話チャネルのＡＣＣＨにて新たなグループ通信呼出しの情報が受信され、そのグループ通信情報を確認することができる（図６のステップＳ６）。
【００３５】
続いて、第１の実施形態とは異なり、現在グループ通信中の移動局２ａ〜２ｇ中の図４に示した各制御部２１は、受信した上記のグループ通信呼出しの情報に含まれる、新たなグループ通信を行うグループが、記憶部２３に予め記憶されているグループの優先度のうち現在のグループの優先度とどちらが優先度が高いか（どちらのグループ通信の優先度が高いか）を判定する（図６のステップＳ１５）。ここで、グループの優先度は、例えば、緊急性や重要性が高いグループ通信を行うグループほど高く設定される。
【００３６】
制御部２１は、現在グループ通信中のグループの優先度よりも、新たにグループ通信が要求されたグループの優先度の方が高いとの比較結果が得られた場合は、通話チャネルを現在グループ通信中の通話チャネルから、受信した上記のグループ通信呼出しの情報に含まれる、新たにグループ通信を行う通話チャネルに切り替える（図６のステップＳ１６）。
【００３７】
これにより、以後、ステップＳ１５で現在グループ通信中のグループの優先度よりも、新たに要求されたグループ通信のグループの優先度の方が高いとの比較結果が得られた移動局は、それまでグループ通信中であった通話チャネルから新たにグループ通信を行う通話チャネルに移行し、当該新たに要求されたグループ通信を行うグループに属する他の移動局と共に、既に通話路スイッチ１２２でグループ通信用に設定された通話路に対応する通信チャネルでグループ通信が開始される（図６のステップＳ１７）。
【００３８】
なお、ステップＳ１５で現在グループ通信中のグループの優先度よりも、新たにグループ通信が要求されたグループの優先度の方が低いか同じであるとの比較結果が得られた場合は、その移動局は、現在通信中のグループ通信をそのまま継続する（図６のステップＳ１８）。
【００３９】
このように、本実施形態では、グループ通信中の移動局２ａ〜２ｇに対して新たなグループ通信の要求があった場合は、自動的に新たなグループ通信に参入するのではなく、移動局２ａ〜２ｇが、現在グループ通信中のグループの優先度よりも、新たにグループ通信が要求されたグループの優先度の方が低いか同じであるとの比較結果が得られた場合は、その移動局は、現在のグループ通信をそのまま継続するようにしたため、現在通信中の優先度の高いグループでのグループ通信が、後発の優先度の低いグループでのグループ通信に切り替わって中断されることがなく、優先度の高いグループでのグループ通信を継続することができ、実用性の高いグループ通信ができる。
【００４０】
なお、上記の実施形態において、通信チャネルでグループ通信中に、ＡＣＣＨ(付随制御チャネル)にて、新しく設定されたグループ通信に参入する場合は、通信方式がＴＤＭＡの場合は、周波数及びスロット、ＦＤＭＡやＳＣＰＣの場合は周波数を切り替える。
【００４１】
また、本発明は上記の実施形態に限定されるものではなく、例えば第１の実施形態のステップＳ７では、新たにグループ通信を行おうとするグループの識別情報と、記憶部２３に記憶されている自局のグループの識別情報とが一致した場合に自動的に新たなグループ通信に切り替えるように説明したが、新たなグループ通信設定要求を移動局に表示させ、その表示に基づいてユーザが手動で新たなグループ通信を行うか否かを任意に選択させるようにすることもできる。
【図面の簡単な説明】
【００４２】
【図１】本発明のグループ通信システムの一実施形態のシステム構成図である。
【図２】図１中の回線制御装置の一例のブロック図である。
【図３】図１中の無線基地局の一例のブロック図である。
【図４】本発明の移動局の一実施形態のブロック図である。
【図５】本発明の第１の実施形態の動作説明用シーケンス図である。
【図６】本発明の第２の実施形態の動作説明用シーケンス図である。
【符号の説明】
【００４３】
１  統制局
２１〜２ｍ  移動局
１１  統制台
１２  回線制御装置
１３１〜１３ｎ  無線基地局
２１、１２５、１３４  制御部
２３  記憶部
２４、１３３  無線部
２５、１３２  信号処理部
１２２  通話路スイッチ
１２３  音声処理部
１２６  制御信号処理部
１３１  インタフェース
【図１】
2009302605.tif 000003
【図２】
2009302605.tif 000004
【図３】
2009302605.tif 000005
【図４】
2009302605.tif 000006
【図５】
2009302605.tif 000007
【図６】
2009302605.tif 000008